(57)【特許請求の範囲】
【請求項１】
遠隔操作棒と該遠隔操作棒の先端に脱着可能に取り付けられるフックとから構成され、貫通孔が形成された非常灯のプルスイッチの摘み部の操作によって非常灯機能を確認する非常灯機能確認操作棒であって、
前記フックは、
仮想鉛直面に沿って形成され、前記摘み部の貫通孔へ係止可能な湾曲部と、
前記仮想鉛直面に沿って前記湾曲部の一端から延設され、前記貫通孔内を摺動して前記湾曲部を前記摘み部へガイドする棒状のガイド部と、
前記仮想鉛直面内にて前記ガイド部とのなす角が９０度よりも小さい方向で前記湾曲部の他端と繋がる基端部とを備え、
前記遠隔操作棒は、
前記基端部が上方から脱着可能に嵌合する嵌合凹部が形成された保持具を先端に備え、
前記保持具は、前記湾曲部と前記基端部とが略鉛直方向に並ぶ第１の配置、及び、前記ガイド部が略水平方向に延びる第２の配置の何れかを選択して、前記フックを脱着可能に保持できる
ことを特徴とする非常灯機能確認操作棒。
【請求項２】
前記保持具には、前記仮想鉛直面と略平行に形成され、嵌合状態の前記基端部が接する前記嵌合凹部の側方当接壁に磁石が埋設されており、
前記基端部には、前記磁石が吸着する被吸着部を備えていることを特徴とする請求項１に記載の非常灯機能確認操作棒。
【請求項３】
前記第１の配置よりも前記第２の配置の方が、前記被吸着部と前記磁石との間隔が大きいことを特徴とする請求項２に記載の非常灯機能確認操作棒。
【請求項４】
前記基端部の下端には、互いの交差線が前記仮想鉛直面に垂直となる隣接する３平面からなる係合面が形成されており、
前記嵌合凹部には、前記第１及び第２の配置に対して、前記係合面のうち、少なくとも２平面が当接可能となる被係合面がそれぞれ形成されていることを特徴とする請求項１から３の何れか１項に記載の非常灯機能確認操作棒。
【発明の詳細な説明】
【技術分野】
【０００１】
本発明は、非常灯等（誘導灯を含む）の電源機能を確認する際に、遠隔位置からプルスイッチを操作するための非常灯機能確認操作棒に関する。
【背景技術】
【０００２】
非常灯は建築基準法により、また、誘導灯は消防法により定期点検が義務付けられている。これら非常灯及び誘導灯の点検には、蓄電池が内蔵された設備に対して定格の時間、非常点灯するかどうかを確認する項目が設けられている。
【０００３】
一般に、非常灯又は誘導灯は天井などの高所に設けられており、下方にプルスイッチが設けられている。このプルスイッチを引き下げることにより非常電源に切り替えられる。点検の際には、上記プルスイッチの操作により非常電源に切り替わった状態を一定の時間保ち、点灯状態の確認が行われる。
【０００４】
複数の階層を有する建築物では、各階ごとに一定数の点検を行う必要があるため、大型の高層建築物等では作業量が膨大になる。また、大型の施設なども同様に作業量は多い。この場合、点検対象ごとに脚立などの足場を設けていると作業効率が低下する。このため、足場等を設けず、遠隔操作棒を用いて作業を行うと、設置時間が短縮され、作業負担も軽減される。
【０００５】
図６に従来の検査補助具を示す。また、図７には、図６の検査補助具の使用例を示す。
【０００６】
図６において、（ａ）は検査補助具１００の正面図を示し、（ｂ）は検査補助具１００の右側面図を示している。この検査補助具１００は、打診棒１０１とフック１０２とを備えている。フック１０２の下端には連結部１０３が設けられており、この連結部１０３を介して打診棒１０１に連結される。連結部１０３の下方には湾曲片１０４が形成されている。この湾曲片１０４が、打診棒１０１の先端に設けられた打診子１０６を包むように連結されることにより、フック１０２が打診棒１０１に取り付けられる。また、連結部１０３は打診子１０６に対して着脱自在に構成されている。
【０００７】
図７には、このような検査補助具１００の使用状態が示されている。建築物の天井１０７に設置された非常灯１０８のバッテリー残量を確認するために、フック１０２を先端に取り付けた打診棒１０１のシャフト１０５を伸ばし、フック１０２によってプルスイッチ１０９が操作される。
【０００８】
このように、プルスイッチ１０９が高所に設置されていても、容易に確認作業を行うことが可能である。
【先行技術文献】
【特許文献】
【０００９】
【特許文献１】特開２００７−１６３１９４号公報
【発明の概要】
【発明が解決しようとする課題】
【００１０】
しかしながら、上述のように、内蔵蓄電池の容量を確認するためには定格の時間、点灯状態を維持しなければならない。ところが、内蔵蓄電池に切り替えた状態と交流電源で点灯している状態とは区別がつき難いため、多数の点検対象を同時に検査すると、誤認識が
生じ易い。
【００１１】
したがって、内蔵蓄電池に切り替えた点検対象については、目印としてプルスイッチ１０９にフック１０２を引っ掛けたまま、一時的に遠隔操作棒から分離できれば、点検対象を確実に把握することができ、作業効率も著しく向上する。
【００１２】
そこで、本発明は、遠隔操作棒とフックとを遠隔操作により容易に脱着可能となる非常灯機能確認操作棒を提供することを目的とする。
【課題を解決するための手段】
【００１３】
上記目的を達成するために、本発明の非常灯機能確認操作棒は、遠隔操作棒と該遠隔操作棒の先端に脱着可能に取り付けられるフックとから構成され、貫通孔が形成された非常灯のプルスイッチの摘み部の操作によって非常灯機能を確認する非常灯機能確認操作棒であって、前記フックは、仮想鉛直面に沿って形成され、前記摘み部の貫通孔へ係止可能な湾曲部と、前記仮想鉛直面に沿って前記湾曲部の一端から延設され、前記貫通孔内を摺動して前記湾曲部を前記摘み部へガイドする棒状のガイド部と、前記仮想鉛直面内にて前記ガイド部とのなす角が９０度よりも小さい方向で前記湾曲部の他端と繋がる基端部とを備え、前記遠隔操作棒は、前記基端部が上方から脱着可能に嵌合する嵌合凹部が形成された保持具を先端に備えていることを特徴とする。
【００１４】
また、本発明の非常灯機能確認操作棒は、上記構成に加えて、前記保持具は、前記湾曲部と前記基端部とが略鉛直方向に並ぶ第１の配置、及び、前記ガイド部が略水平方向に延びる第２の配置の何れかを選択して、前記フックを脱着可能に保持できることを特徴とする。
【００１５】
また、本発明の非常灯機能確認操作棒は、上記構成に加えて、前記保持具には、前記仮想鉛直面と略平行に形成され、嵌合状態の前記基端部が接する前記嵌合凹部の側方当接壁に磁石が埋設されており、前記基端部には、前記磁石が吸着する被吸着部を備えていることを特徴とする。
【００１６】
また、本発明の非常灯機能確認操作棒は、上記構成に加えて、前記第１の配置よりも前記第２の配置の方が、前記被吸着部と前記磁石との間隔が大きいことを特徴とする。
【００１７】
また、本発明の非常灯機能確認操作棒は、上記構成に加えて、前記基端部の下端には、互いの交差線が前記仮想鉛直面に垂直となる隣接する３平面からなる係合面が形成されており、前記嵌合凹部には、前記第１及び第２の配置に対して、前記係合面のうち、少なくとも２平面が当接可能となる被係合面がそれぞれ形成されていることを特徴とする。
【発明の効果】
【００１８】
以上のように、本発明によれば、フックが保持具に対して上方へ脱着可能に取り付けられるので、非常灯のプルスイッチに対してフックを係止した後、高所の遠隔位置において保持具からフックを分離することができる。このため、プルスイッチを引き下げたフックのみを係止状態に保持することができる。また、点検後のフックを遠隔操作にて回収することも容易となる。
【００１９】
また、本発明によれば、第２の配置に設定すると、ガイド部が非常灯の設置されている天井等と略平行に配置されるので、プルスイッチの摘み部の貫通孔にフックを係止し易くなる。また、湾曲部及び基端部を結ぶ方向とガイド部の延びる方向とのなす角が９０度よりも小さいので、プルスイッチを引き下げることにより遠隔操作棒から分離したフックの湾曲部と基端部とが鉛直方向に並ぶと、ガイド棒は斜め下方に向きが変わる。このため、
係止状態が安定する。
【００２０】
また、本発明によれば、上記効果に加えて、保持部の嵌合凹部には、湾曲部が構成する仮想鉛直面と略平行に形成された側方当接壁に磁石が設けられており、フック側には磁石が吸着する被吸着部が設けられているので、保持具によるフックの保持状態が安定する。さらに、プルスイッチの引き下げの際、第２の配置状態にあるフックが第１の配置状態に変化（回転）するときに、フックが仮想鉛直面に沿って回転するので、被吸着部を磁石から引き離すのが容易である。
【００２１】
また、本発明によれば、上記効果に加えて、第１の配置よりも第２の配置の方が磁石と被吸着部との間隔が大きくなるように構成されているので、第１の配置よりも第２の配置の方が磁石の吸着力は小さくなる。このため、フックの吊下げ時には、引き下げ操作に伴う回転動作の作用も加わり、磁石からの分離が容易になる。また、第１の配置で回収する際には、離脱時よりも大きな磁力で安定するので、落下等の誤操作を防止でき安全且つ確実な作業が可能となる。
【００２２】
また、本発明によれば、上記効果に加えて、フックの基端部に形成された隣接３平面からなる係合面の少なくとも２平面と当接可能な平面が、第１及び第２の配置のそれぞれに対して嵌合凹部の被係合面側に形成されている。これにより、第１及び第２の配置の何れにおいてもフックは保持具において安定して保持される。
【図面の簡単な説明】
【００２３】
【図１】本発明の実施の形態に係る非常灯機能確認操作棒の全体斜視図である。
【図２】図１の非常灯機能確認操作棒のフックを示し、（ａ）は正面側上方から見た斜視図であり、（ｂ）は背面側下方から見た斜視図である。
【図３】図１の非常灯機能確認操作棒の遠隔操作棒を示し、（ａ）は正面側から見た斜視図であり、（ｂ）は背面側から見た斜視図である。
【図４】図１の非常灯機能確認操作棒の使用状態を表わしたものであり、（ａ）はガイド部をプルスイッチの摘み部に挿入するときの様子を示し、（ｂ）は湾曲部が摘み部に導かれたときの様子を示し、（ｃ）はフックが保持具から分離され湾曲部に係止された状態を示し、（ｄ）は表示板を取り付けた検査中の状態を示し、（ｅ）は保持具によりフックを回収するときの様子を示した図である。
【図５】保持具に対するフックの脱着機構を表わしたものであり、（ａ）はフックの湾曲部と基端部とが鉛直方向に並んだ配置で保持具に取り付けられた状態を示し、（ｂ）はガイド部が水平方向に延びるように配置された状態を示し、（ｃ）はフックに上方の外力が加わった状態を示す図である。
【図６】従来の検査補助具の全体図であり、（ａ）は正面図、（ｂ）は右側面図である。
【図７】従来の検査補助具の使用状態を説明する図である。
【発明を実施するための形態】
【００２４】
以下、本発明の実施の形態に係る非常灯機能確認操作棒について、図を用いて説明する。
【００２５】
図１は本実施の形態に係る非常灯機能確認操作棒１の全体斜視図を示している。
【００２６】
非常灯機能確認操作棒１は、遠隔操作棒２とフック１０とを備えている。遠隔操作棒２は伸縮可能なロッド３（伸縮部）と、このロッド３の先端に設けられた保持具４とから構成されている。図１では、保持具４にフック１０が取り付けられた状態が示されている。フック１０は、保持具４に対して脱着可能である。
【００２７】
次に、フック１０の構成について図２を用いて説明する。図２（ａ）には、フック１０の正面側上方から見た斜視図を示し、図２（ｂ）には、フック１０の背面側下方から見た斜視図を示している。
【００２８】
図２（ａ）を参照して、フック１０は、後述する非常灯のプルスイッチ３３に係止される半円形の湾曲部１２を有している。この湾曲部１２は、図２中に一点鎖線によって座標軸ＸＹＺを示したように、ＸＺ平面（仮想鉛直面）に沿って形成されている。そして、湾曲部１２の一端１２ａからは、ＸＺ平面に沿って棒状のガイド部１４が延設されている。また、湾曲部１２の他端１２ｂには下方に基端部１６が繋がっている。基端部１６には、Ｙ軸方向に貫通配置されたネジ部材１８によって操作紐１９が取り付けられている。そして、フック１０の湾曲部１２から基端部１６に繋がる部分の外縁には、後述する中間当接部２０が切欠き状に形成されている。このように、本実施の形態に係るフック１０は、湾曲部１２と基端部１６とを結ぶ方向に対して９０度よりも小さい角をなすようにガイド部１４が延びている。
【００２９】
図２（ｂ）を参照して、基端部１６の下面は、交差する３つの隣接平面によって係合面１６ａが構成されている。係合面１６ａにおいて、互いの間に形成される交差線３１は、仮想鉛直面であるＸＺ面と直交するＹ軸方向に延びている。
【００３０】
また、図２（ｂ）には、非常灯の非常電源の切り替えを操作するためのプルスイッチ３３を２点鎖線で表わし、このプルスイッチ３３の下端の摘み部３４にフック１０の湾曲部１２が係止した状態が示されている。摘み部３４には貫通孔３４ａが形成されており、少なくとも本実施の形態に係る湾曲部１２はこの貫通孔３４ａに貫通可能な大きさに形成されている。
【００３１】
続いて、保持具４の構成について図３を用いて説明する。図３（ａ）には、保持具４の正面側から見た斜視図を示し、図３（ｂ）には、保持具４の背面側から見た斜視図を示している。なお、図３（ｂ）において、点線は隠れ線を表わしている。ここでは、保持具４との関係を説明する際のフック１０の構成については図２を参照することとする。
【００３２】
図３（ａ）を参照して、保持具４には、フック１０を保持するための嵌合凹部６が形成されている。この嵌合凹部６には、図２に示したフック１０の基端部１６の係合面１６ａと同様に、交差する３つの隣接平面によって被係合面６ａが構成されている。図３中に座標軸ＸＹＺで示したように、被係合面６ａには、Ｙ軸方向に交差線３２が形成されている。また、嵌合凹部６には、ＸＺ面に対して平行に拡がる側方当接壁６ｂが形成されている。このように、被係合面６ａ及び側方当接壁６ｂにより囲われた嵌合凹部６にてフック１０の基端部１６を保持することができる。なお、本実施の形態に係る非常灯機能確認操作棒１においては、嵌合凹部６の側方当接壁６ｂに磁石８が設けられている。
【００３３】
図１に戻って、本実施の形態に係る非常灯機能確認操作棒１では、保持具４がフック１０を異なる角度で保持できるように構成されている。具体的には、実線で示したように、湾曲部１２と基端部１６とが略鉛直方向に並ぶような角度となる配置（第１の配置）と、ガイド部１４が略水平方向に延びるような配置（第２の配置）に保持できる。
【００３４】
すなわち、フック１０の基端部１６の下方の係合面１６ａと、保持具４の嵌合凹部６の被係合面６ａとが当接する対向面の組み合せを替えることにより上述のような２つの配置を選択することができる。
【００３５】
なお、フック１０の基端部１６に設けられたネジ部材１８は磁性体で形成されているので、嵌合凹部６に設けられた磁石８によって吸着可能である。したがって、図１のように
保持具４に保持されたフック１０は、磁力によって保持具４に対して安定して保持されている。
【００３６】
次に、非常灯機能確認操作棒１の使用方法について図４を用いて説明する。
【００３７】
図４では、非常灯の電源機能を確認するための作業を、（ａ）から（ｅ）までの流れによって示している。ここでは、説明の便宜のため、点検対象については、非常灯を操作するためのプルスイッチ３３のみを図示し、非常灯の図示を省略している。
【００３８】
図４（ａ）には、図２（ｂ）に示した非常灯のプルスイッチ３３にフック１０のガイド部１４の先端を挿入するときの様子が示されている。このように、保持具４に対してガイド部１４が略水平となる配置（第２の配置）にフック１０を取り付けると、天井付近に吊り下げられたプルスイッチ３３の摘み部３４にフック１０を掛ける作業が容易になる。
【００３９】
ここで、フック１０の操作紐１９には、リールフック３８を介してリール４０が連結されている。リール４０は、プルスイッチ３３を引き下げた状態を保持するのに十分な重量（３５０ｇ程度）を有する錘４０ａを備えている。また、リール４０から延びるコード４０ｂは、少なくとも錘４０ａが床に届く程度に引き出すことが可能である。このように、予め、リール４０、錘４０ａをフック１０に繋いだ状態で、フック１０をプルスイッチ３３に引っ掛ける作業が行われる。作業者はリール４０及び錘４０ａを片手に持ち、もう片方の手でロッド３を操作できるので、補助を必要とせず、単独で作業を行うことが可能である。
【００４０】
図４（ｂ）には、ガイド部１４にガイドさせて摘み部３４をフック１０の湾曲部１２まで案内したときの様子が示されている。このように湾曲部１２が相対的に摘み部３４に導かれた状態でロッド３を引き下げるとフック１０を保持具４から分離させることができる。
【００４１】
なお、この状態において、磁石８（図３を参照）の磁力がプルスイッチ３３の引き下げ時の張力に耐えることができる程度に強力であれば、ロッド３を用いてプルスイッチ３３の操作を行うことができる。また、磁石８の磁力がフック１０を安定して保持できる程度の磁力であり、プルスイッチ３３の引き下げに耐える程ではない場合であっても、フック１０を分離した後に操作紐１９に繋がれた錘４０ａの荷重をかけることによってプルスイッチ３３を引き下げることができる。
【００４２】
次に、図４（ｃ）には、フック１０が保持具４から分離された状態が示されている。この図４（ｃ）から分かるように、分離に伴ってフック１０の基端部１６は下方に垂れ下がる。よって、ガイド部１４は斜め下方に傾斜し、湾曲部１２における摘み部３４の係止状態が安定する。
【００４３】
図４（ｄ）には、非常電源の容量を確認している状態が示されている。非常電源の機能を確認するためには、法で定められた所定の時間（非常灯の場合は３０分）以上、切り換え状態を維持する必要がある。ここでは、目視確認が容易になるように、検査中であることを示す表示板３６がリール４０のコード４０ｂに取り付けられている。
【００４４】
ここで、コード４０ｂは、錘４０ａが床すれすれの高さに設置できる長さとなるように調節される。このように長さを調節すると、錘４０ａによってプルスイッチ３３を引き下げるために必要な荷重をかけることができると共に、万一、フック１０がプルスイッチ３３から外れたり、プルスイッチ３３の紐が切れた場合であっても、落下による危険を最小限に抑えることができる。
【００４５】
図４（ｄ）の状態に設定した後、保持具４に他のフック１０を設置し、他の点検作業に移行することができる。
【００４６】
続いて、図４（ｅ）には、フック１０を回収するときの様子が示されている。非常電源の点検が終了し、表示板３６等が取り外され、再び保持具４にフック１０が取り付けられる。しかし、ここでは、図４（ａ）の状態とは異なり、湾曲部１２と基端部１６とが略鉛直方向に並んだ配置（第１の配置）で取り付けられる。このように、湾曲部１２、基端部１６及びロッド３が略鉛直方向に並ぶので、一旦フック１０を磁石８によって吸着すれば、保持状態は図４（ａ）の状態よりも安定する。すなわち、フック１０に引き下げ方向の力が加わったとしても、フック１０には磁石８（図４（ｃ）参照）により吸着された基端部１６周辺を中心とした回転力が生じ難い。フック１０を保持具４に吸着させるためには、操作紐１９を引寄せれば安定して作業を行うことができる。
【００４７】
次に、上記のような構成の非常灯機能確認操作棒１について、保持具４とフック１０との脱着構造及びその作用を、図５を用いて説明する。
【００４８】
図５は、保持具４及びフック１０を拡大して示している。なお、ここでは、説明の便宜のため、操作紐１９やネジ部材１８等の細かな構成については図示を省略し、保持具４及びフック１０を模式的に表わしている。磁石８は輪郭のみを点線の円で表わし、ネジ部材１８は実線の円で表わしている。
【００４９】
図５（ａ）は、湾曲部１２と基端部１６とが略鉛直方向に並んだ配置でフック１０が保持具４に取り付けられた状態を示している。上述のように、係合面１６ａ及び被係合面６ａはそれぞれ隣接する３平面で構成されているので、それぞれの３平面が互いに当接し、安定している。
【００５０】
図５（ａ）から分かるように、本実施の形態に係る非常灯機能確認操作棒１（図１参照）では、保持具４に設けられた磁石８の配置は、嵌合凹部６の下方側となっている。そして、フック１０側のネジ部材１８は、基端部１６のうち、鉛直方向下方側、すなわち、湾曲部１２と基端部１６とを結ぶ方向（一点鎖線５０の方向）において基端部１６側に偏って配置されている。ただし、図５（ａ）の状態において、磁石８に対してはやや上方に配置されている。磁石８とネジ部材１８との吸着領域は図５（ａ）中において斜線で示されている。これにより、ネジ部材１８は磁石８の上方において一部重なるように吸着されていることが分かる。
【００５１】
次に、図５（ｂ）には、ガイド部１４が略水平方向に延びるように配置された状態が示されている。このとき、上述のように、基端部１６のネジ部材１８は、湾曲部１２と基端部１６とを結ぶ方向（一点鎖線５０の方向）において基端部１６側に偏って配置されているので、係合面１６ａのうち、中央に位置する平面に対して最も近くなるように配置されていることになる。
【００５２】
したがって、図５（ｂ）のように、係合面１６ａを構成する隣接３平面のうち、外側の平面が最も下方に位置する状態では、ネジ部材１８は図５（ａ）のときよりも僅かに持ち上がり、磁石８から離れる。これにより、斜線で示した磁石８とネジ部材１８との重複領域は、図５（ａ）の状態よりも面積が小さくなる。
【００５３】
つまり、図５（ａ）に示す配置よりも図５（ｂ）に示す配置の方が、磁石８によるフック１０の吸着力が弱くなる。このように構成されているので、図４（ｂ）〜（ｃ）におけるフック１０の分離作業が容易になる。しかも、図４（ｅ）のようにフック１０を回収す
る場合には吸着力が増大するので、安全にフック１０を回収することが可能である。
【００５４】
また、図５（ｂ）に示したように、湾曲部１２と基端部１６とを繋ぐフック１０の中間部分の外縁には、切欠き状に中間当接部２０が形成されている。これに対して、保持具４側には、中間当接部２０を支持できる中間支持部９が嵌合凹部６の一部として形成されている。中間支持部９と中間当接部２０とは、中間支持部９の２つの支持面９ａ、９ｂと、中間当接部２０の当接面２０ａとにおいて当接状態となる。このように構成されているので、フック１０は、被係合面６ａに加えて中間当接部２０とによって安定して保持される。
【００５５】
次に、図５（ｃ）には、フック１０にプルスイッチ３３側（図４（ｂ）、（ｃ）を参照）から上向きに外力を受けた状態が示されている。ここで、本実施の形態における構成では、係合面１６ａ及び被係合面６ａともに隣接３平面から構成されているので、ネジ部材１８の軸周りに容易に回転し難い構成となっている。これにより、図５（ｂ）に示した、嵌合凹部６に対する係合面１６ａの当接点１６ｂを中心としてフック１０が回転するように、上方に分離される。すなわち、フック１０の湾曲部１２が上方に引っ張られると、梃子の作用によりネジ部材１８が磁石８から引き離される。このように、上記図５（ｂ）に示したような、予め磁石８の中心から外れた位置にネジ部材１８を配置することに加えて、梃子の作用によりネジ部材１８を磁石８から引き離すことができるので、プルスイッチ３３側に損傷を生じさせることなく容易にフック１０を保持具４から分離させることが可能となる。
【００５６】
尚、上記の実施の形態では、被係合面６ａは、互いに交差する隣接３平面で形成されている構成を例として示した。しかし、第１及び第２の配置において、係合面１６ａの何れか２面と当接できる少なくとも２面が形成されていれば、隣接３平面で構成されていなくても構わない。
【００５７】
また、上記の実施の形態では、嵌合凹部６に、フック１０の中間当接部２０を支える中間支持部９を有する構成を例として示した。しかし、被係合面６ａ及び磁石８により安定してフック１０を保持できる構成であれば、中間当接部２０を有していなくても構わない。
【００５８】
また、上記の実施の形態では、被係合面６ａ及び係合面１６ａが共に、交差する隣接３平面により形成されている構成を例として示した。しかし、ＸＺ面内で容易に回転しない係合状態を維持できるのであれば、３平面よりも少ない面で構成されていても良く、逆に、４平面以上で構成されていても良い。
【００５９】
また、上記の実施の形態では、係合面１６ａを構成する隣接３平面が略同じ大きさに形成されている例を示した。しかし、被係合面６ａとの間に良好に係合状態を維持できる構成であれば、それぞれ異なる大きさ（面積）で形成されていても構わない。
【００６０】
また、上記の実施の形態では、係合面１６ａ、被係合面６ａは、何れも平面の組合せで構成されている例を示した。しかし、曲面が含まれていても構わない。
【００６１】
また、上記の実施の形態では、保持具４に磁石８が設けられた構成を例として示した。しかし、磁石を備えていなくても構わない。
【００６２】
また、上記の実施の形態では、保持具４側に磁石８が設けられ、フック１０側に被吸着部（ネジ部材１８）が設けられた構成を例として示した。しかし、逆の構成であっても良い。
【００６３】
また、上記の実施の形態では、遠隔操作棒２のロッド３が伸縮可能に構成されている例
を示した。しかし、プルスイッチ３３に達するだけの必要な長さを有していれば、ロッド３は固定長であっても構わない。
【００６４】
また、上記の実施の形態では、フック１０に操作紐１９が垂設された構成を例として示した。しかし、リールフック３８が接続できる構成であれば、棒状部材で置き換えても構わない。
【産業上の利用可能性】
【００６５】
本発明の非常灯機能確認操作棒は、遠隔操作棒の先端に脱着可能にフックを設け、且つ、ガイド部の角度を変えて配置できるので、非常灯の点検作業のみならず、誘導灯の点検作業にも用いることができる。
【符号の説明】
【００６６】
１      非常灯機能確認操作棒
２      遠隔操作棒
３      ロッド
４      保持具
６      嵌合凹部
６ａ      被係合面
６ｂ      側方当接壁
８      磁石
９      中間支持部
９ａ、９ｂ      支持面
１０      フック
１２      湾曲部
１２ａ      （湾曲部の）一端
１２ｂ      （湾曲部の）他端
１４      ガイド部
１６      基端部
１６ａ      係合面
１６ｂ      当接点
１８      ネジ部材（被吸着部）
１９      操作紐
２０      中間当接部
２０ａ      当接面
３１、３２      交差線
３３      プルスイッチ
３４      摘み部
３４ａ      貫通孔
３６      表示板
３８    リールフック
４０    リール
４０ａ      錘
４０ｂ      コード
５０      一点鎖線
１００      検査補助具
１０１      打診棒
１０２      フック
１０３      連結部
１０４      湾曲片
１０５      シャフト
１０６      打診子
１０７      天井
１０８      非常灯
１０９      プルスイッチ
【図１】
0006545018.tif 000002
【図２】
0006545018.tif 000003
【図３】
0006545018.tif 000004
【図４】
0006545018.tif 000005
【図５】
0006545018.tif 000006
【図６】
0006545018.tif 000007
【図７】
0006545018.tif 000008